(57)【要約】【課題】センサの信号値が温度の影響を受け難いようにする。【解決手段】所定の取付場所の状態を表す電流値を出力電流値として出力する状態検出部と、状態検出部の雰囲気温度を検出する温度検出部と、記憶部と、取付場所の状態を記憶部に保存する記憶制御部と、を備え、状態検出部は、出力電流値の範囲が、予め定められた最小電流値から予め定められた最大電流値までの範囲となるように、構成され、かつ、最小電流値を含む第１電流レンジとして出力電流値を出力する第１モードと最小電流値を含まない第２電流レンジとして出力電流値を出力する第２モードとを有し、記憶制御部は、第１モードでは、出力電流値に対応する出力値を温度検出部により検出された温度に基づき補正した補正値を記憶部に保存し、かつ、第２モードでは、出力値を記憶部に保存する。【選択図】図１
2018073340.tif 000002
【特許請求の範囲】
【請求項１】
所定の取付場所の状態を表す電流値を出力電流値として出力する状態検出部と、
前記状態検出部の雰囲気温度を検出する温度検出部と、
記憶部と、
前記取付場所の前記状態を前記記憶部に保存する記憶制御部と、
を備え、
前記状態検出部は、前記出力電流値の範囲が、予め定められた最小電流値から予め定められた最大電流値までの範囲となるように、構成され、かつ、前記最小電流値を含む第１電流レンジとして前記出力電流値を出力する第１モードと前記最小電流値を含まない第２電流レンジとして前記出力電流値を出力する第２モードとを有し、
前記記憶制御部は、前記第１モードでは、前記出力電流値に対応する出力値を前記温度検出部により検出された温度に基づき補正した補正値を前記記憶部に保存し、かつ、前記第２モードでは、前記出力値を前記記憶部に保存する、
センサ信号値記憶装置。
【請求項２】
前記記憶制御部は、前記第１モードでは、前記温度検出部により検出された温度が予め定められた温度閾値以上のときのみ前記補正値を前記記憶部に保存し、前記温度検出部により検出された温度が前記温度閾値未満のときは前記出力値を前記記憶部に保存する、
請求項１に記載のセンサ信号値記憶装置。
【請求項３】
前記最小電流値は、０．０１ｎＡであり、
前記第１電流レンジは、０．０１ｎＡ以上、かつ０．０３μＡ以下の範囲である、
請求項１又は２に記載のセンサ信号値記憶装置。
【請求項４】
前記状態検出部は、前記取付場所の腐食度合いに応じた電流値を前記出力電流値として出力する腐食センサを含む、
請求項１〜３のいずれか１項に記載のセンサ信号値記憶装置。
【請求項５】
前記記憶制御部は、
前記状態検出部及び前記温度検出部と有線接続され、前記第１モードでは前記出力電流値から前記補正値を生成し、前記第１モードでは前記出力電流値から前記出力値を生成する補正部と、
前記補正値又は前記出力値を無線送信するための第１アンテナユニットと、
前記補正値又は前記出力値の前記第１アンテナユニットからの無線送信を制御する第１通信制御部と、
前記第１アンテナユニットから送信された前記補正値又は前記出力値を受信するための第２アンテナユニットと、
前記第２アンテナユニットで受信された前記補正値又は前記出力値を前記記憶部に保存する第２通信制御部と、
を含む、
請求項１〜４のいずれか１項に記載のセンサ信号値記憶装置。
【請求項６】
前記状態検出部と、前記温度検出部と、前記記憶部と、前記記憶制御部とは、車両に搭載されている、
請求項１〜５のいずれか１項に記載のセンサ信号値記憶装置。
【請求項７】
前記状態検出部は、前記車両の室外に取り付けられている、
請求項６に記載のセンサ信号値記憶装置。
【発明の詳細な説明】
【技術分野】
【０００１】
ここに開示された技術は、センサから出力される信号値を記憶するセンサ信号値記憶装置に関するものである。
【背景技術】
【０００２】
車両の開発現場において、多数のセンサが、車両の様々な部位に取り付けられることがある（特許文献１を参照）。特許文献１のセンサは、信号線によって、データ収集装置に繋がれるので、作業者は、センサとデータ収集装置との間の信号線の配設のために、多大な労力を費やす必要がある。
【０００３】
特許文献２は、センサによって取得されたデータを、データ収集装置へ無線式に通信する技術を提案する。特許文献２の技術によれば、センサとデータ収集装置との間の信号線の配設作業は必要とされない。
【先行技術文献】
【特許文献】
【０００４】
【特許文献１】特開２０１３−２５３８９８号公報
【特許文献２】特開２００８−１６４４６７号公報
【発明の概要】
【発明が解決しようとする課題】
【０００５】
データが有線式で通信される場合でも無線式で通信される場合でも、センサによって取得されたデータは、高い精度で得られることが望まれる。例えばセンサとして、取付場所の腐食度合いを検出する腐食センサが車両に取り付けられることがある。腐食センサは、一般に、腐食度合いに応じた電流値を出力する。しかしながら、この電流値は微小であるため、通常は、電流値を増幅させて記録しておく。但し、腐食センサは、車両の室外に取り付けられる場合もあるため、温度の影響を受けないようにすることが望まれる。しかしながら、特許文献１，２では、この点が十分に検討されていない。
【０００６】
ここに開示された技術は、センサの信号値が温度の影響を受け難いようにしたセンサ信号値記憶装置を提供することを目的とする。
【課題を解決するための手段】
【０００７】
上述の課題を解決するために、ここに開示された技術の一態様は、
所定の取付場所の状態を表す電流値を出力電流値として出力する状態検出部と、
前記状態検出部の雰囲気温度を検出する温度検出部と、
記憶部と、
前記取付場所の前記状態を前記記憶部に保存する記憶制御部と、
を備え、
前記状態検出部は、前記出力電流値の範囲が、予め定められた最小電流値から予め定められた最大電流値までの範囲となるように、構成され、かつ、前記最小電流値を含む第１電流レンジとして前記出力電流値を出力する第１モードと前記最小電流値を含まない第２電流レンジとして前記出力電流値を出力する第２モードとを有し、
前記記憶制御部は、前記第１モードでは、前記出力電流値に対応する出力値を前記温度検出部により検出された温度に基づき補正した補正値を前記記憶部に保存し、かつ、前記第２モードでは、前記出力値を前記記憶部に保存するものである。
【０００８】
この態様では、取付場所の状態を表す電流値を出力電流値として出力する状態検出部は、出力電流値の範囲が、予め定められた最小電流値から予め定められた最大電流値までの範囲となるように、構成されている。また、状態検出部は、最小電流値を含む第１電流レンジとして出力電流値を出力する第１モードと、最小電流値を含まない第２電流レンジとして出力電流値を出力する第２モードと、を有する。
【０００９】
第１モードでは、出力電流値に対応する出力値を温度検出部により検出された温度に基づき補正した補正値が、記憶部に保存される。第２モードでは、出力電流値に対応する出力値が記憶部に保存される。
【００１０】
出力電流値が最小電流値を含む第１電流レンジとして状態検出部から出力されると、出力電流値が微小であるため、温度による影響を受ける。そこで、第１モードでは、出力電流値に対応する出力値を温度検出部により検出された温度に基づき補正した補正値が記憶部に保存される。したがって、この態様によれば、温度による影響を解消して、取付場所の状態を精度良く表す値を記憶部に保存することができる。
【００１１】
上記態様において、例えば、前記記憶制御部は、前記第１モードでは、前記温度検出部により検出された温度が予め定められた温度閾値以上のときのみ前記補正値を前記記憶部に保存し、前記温度検出部により検出された温度が前記温度閾値未満のときは前記出力値を前記記憶部に保存してもよい。
【００１２】
この態様では、第１モードでは、温度検出部により検出された温度が予め定められた温度閾値以上のときのみ補正値が記憶部に保存され、温度検出部により検出された温度が温度閾値未満のときは出力値が記憶部に保存される。出力電流値が最小電流値を含む第１電流レンジとして状態検出部から出力されると、検出温度が温度閾値未満のときに比べて温度閾値以上のときの方が温度による影響をより大きく受ける。したがって、この態様によれば、検出温度が温度閾値以上のときに温度による影響を解消して、取付場所の状態を精度良く表す値を記憶部に保存することができる。
【００１３】
上記態様において、例えば、前記最小電流値は、０．０１ｎＡであってもよい。前記第１電流レンジは、０．０１ｎＡ以上、かつ０．０３μＡ以下の範囲であってもよい。
【００１４】
０．０１ｎＡ以上、かつ０．０３μＡ以下の範囲内のときは、出力電流値が微小であるため、温度による影響を大きく受ける。そこで、出力電流値に対応する出力値を温度検出部により検出された温度に基づき補正した補正値が記憶部に保存される。したがって、この態様によれば、温度による影響を解消して、取付場所の状態を精度良く表す値を記憶部に保存することができる。
【００１５】
上記態様において、例えば、前記状態検出部は、前記取付場所の腐食度合いに応じた電流値を前記出力電流値として出力する腐食センサを含んでもよい。
【００１６】
この態様では、状態検出部は、取付場所の腐食度合いに応じた電流値を出力電流値として出力する腐食センサを含む。腐食センサから取付場所の腐食度合いに応じて出力される電流値が微小の場合には、温度による影響を大きく受ける。そこで、出力電流値が微小の場合には、出力電流値に対応する出力値を温度検出部により検出された温度に基づき補正した補正値が記憶部に保存される。したがって、この態様によれば、温度による影響を解消して、取付場所の腐食度合いを精度良く表す値を記憶部に保存することができる。
【００１７】
上記態様において、例えば、前記記憶制御部は、前記状態検出部及び前記温度検出部と有線接続され、前記第１モードでは前記出力電流値から前記補正値を生成し、前記第１モードでは前記出力電流値から前記出力値を生成する補正部と、前記補正値又は前記出力値を無線送信するための第１アンテナユニットと、前記補正値又は前記出力値の前記第１アンテナユニットからの無線送信を制御する第１通信制御部と、前記第１アンテナユニットから送信された前記補正値又は前記出力値を受信するための第２アンテナユニットと、前記第２アンテナユニットで受信された前記補正値又は前記出力値を前記記憶部に保存する第２通信制御部と、を含んでもよい。
【００１８】
この態様では、補正値又は出力値は、第１アンテナユニットから送信され、第２アンテナユニットで受信される。したがって、この態様によれば、補正値又は出力値は、無線で送信されるため、状態検出部と記憶部との間の配線の引き回しを検討する必要が無いという利点がある。
【００１９】
上記態様において、例えば、前記状態検出部と、前記温度検出部と、前記記憶部と、前記記憶制御部とは、車両に搭載されていてもよい。
【００２０】
この態様では、状態検出部と、温度検出部と、記憶部と、記憶制御部とは、車両に搭載されている。したがって、この態様によれば、車両における取付場所の状態を調べることができる。
【００２１】
上記態様において、例えば、前記状態検出部は、前記車両の室外に取り付けられていてもよい。
【００２２】
この態様では、状態検出部は、車両の室外に取り付けられている。したがって、この態様によれば、車両における室外の取付場所の状態を調べることができる。
【発明の効果】
【００２３】
このセンサ信号値記憶装置によれば、最小電流値を含む第１電流レンジとして出力電流値が状態検出部から出力される第１モードでは、出力電流値に対応する出力値を温度検出部により検出された温度に基づき補正した補正値が、記憶部に保存されるため、温度による影響を解消して、取付場所の状態を精度良く表す値を記憶部に保存することができる。
【図面の簡単な説明】
【００２４】
【図１】本実施形態のセンサ信号値記憶装置を備える車両の構成を概略的に示すブロック図である。
【図２】無線送信装置、検出部、データ収集装置、アンテナユニットの配置例を概略的に示す図である。
【図３】増幅回路から出力される電圧増幅値の温度に対する変化を概略的に示す図である。
【発明を実施するための形態】
【００２５】
以下、図面を参照しつつ、本開示の実施形態が説明される。なお、各図では、同様の要素には同様の符号が付され、適宜、説明が省略される。
【００２６】
図１は、本実施形態のセンサ信号値記憶装置を備える車両の構成を概略的に示すブロック図である。図１に示される車両１は、例えば４輪自動車である。車両１は、図１に示されるように、無線送信装置１０、検出部２０、データ収集装置３０、アンテナユニット４０を備える。
【００２７】
この車両１は、車両の開発現場において、車両に取り付けられた多数のセンサを用いて、車両の性能評価を行うためのものである。本実施形態では、検出部２０は、このようなセンサとして、腐食センサ２１と、温湿度センサ２２とを含む。腐食センサ２１は、無線送信装置１０と接続ケーブル２３で接続され、温湿度センサ２２は、無線送信装置１０と接続ケーブル２４で接続されている。アンテナユニット４０は、データ収集装置３０と接続ケーブル４１で接続されている。そして、車両１は、検出部２０で検出された検出データが、無線送信装置１０により無線で送信されて、アンテナユニット４０を介して、データ収集装置３０に保存されるように構成されている。
【００２８】
腐食センサ２１（状態検出部の一例）は、車両１における、腐食センサ２１が取り付けられた場所の腐食度合いを検出する。腐食センサ２１は、車両１の腐食度合いを検出することができる一般的なセンサ素子であってもよい。腐食センサ２１として、例えば、大気腐食モニタ（ＡＣＭ）型腐食センサが用いられてもよい。
【００２９】
温湿度センサ２２（温度検出部の一例）は、車両１における、温湿度センサ２２が取り付けられた場所の温度及び湿度を検出する。温湿度センサ２２として、一般的な検出素子が用いられてもよい。温湿度センサ２２の温度検出素子として、例えば公知の白金測温抵抗体が用いられてもよい。温湿度センサ２２の湿度検出素子として、例えば公知の高分子容量式湿度検出素子が用いられてもよい。
【００３０】
図２は、無線送信装置１０、検出部２０、データ収集装置３０、アンテナユニット４０の配置例を概略的に示す図である。
【００３１】
検出部２０は、車両１の例えば、エンジンルーム、フロントホイルハウス、リフトゲートの外板、エンジンのアンダカバーの４箇所に取り付けられている。検出部２０と接続ケーブル２３，２４で接続された無線送信装置１０は、検出部２０の近傍の車両１の４箇所に取り付けられている。データ収集装置３０は、例えば、車両１のトランクルーム２に配置されている。アンテナユニット４０は、例えば、車両１の室内前部３の天井に配置されている。
【００３２】
図１に戻って、無線送信装置１０は、メモリ１１、中央演算処理装置（ＣＰＵ）１２、アンテナユニット１３、増幅回路１５、補正回路１６、ＡＤ変換回路１７等を備える。
【００３３】
無線送信装置１０のメモリ１１は、例えば、フラッシュメモリなどの半導体メモリ、又は他の記憶素子で構成される。メモリ１１は、検出部２０で検出された検出データを一時的に保存するメモリ、プログラムを保存するメモリ等を含む。なお、メモリ１１は、検出部２０で検出された検出データを一時的に保存する領域、プログラムを保存する領域を備える単一のメモリ素子で構成されていてもよい。
【００３４】
上述のように、検出部２０及び無線送信装置１０は、車両１の複数の場所（本実施形態では、４箇所）に取り付けられている。そこで、４箇所の無線送信装置１０のメモリ１１は、それぞれの無線送信装置１０を特定する固有の子機ＩＤを予め記憶している。
【００３５】
アンテナユニット１３（第１アンテナユニットの一例）は、本実施形態では例えば、周波数２．４ＧＨｚの電波を３ｍＷの電力で放射する。腐食センサ２１は、接続ケーブル２３で増幅回路１５に接続される。温湿度センサ２２は、接続ケーブル２４で、補正回路１６とＣＰＵ１２とに接続される。ＣＰＵ１２は、メモリ１１に保存されているプログラムに従って動作することにより、検出制御部１２ａ、通信制御部１２ｂとして機能する。
【００３６】
腐食センサ２１は、腐食センサ２１の取付場所における腐食の度合いに応じた電流値を出力する。増幅回路１５は、腐食センサ２１から出力された電流値を電圧値に変換し、電圧値を増幅して、電圧増幅値を出力する。補正回路１６は、温湿度センサ２２により検出される温度に応じて、増幅回路１５から出力される電圧増幅値を補正した電圧補正値を出力するか、又は補正せずに電圧増幅値をそのまま出力する。ＡＤ変換回路１７は、補正回路１６から出力される電圧補正値又は電圧増幅値をデジタル値に変換してＣＰＵ１２に出力する。ここで、図３を用いて、腐食センサ２１、増幅回路１５、補正回路１６の機能が更に詳述される。
【００３７】
図３は、増幅回路１５から出力される電圧増幅値の基準値の温度に対する変化を概略的に示す図である。図３において、縦軸は電圧増幅値の基準値［Ｖ］を表し、横軸は温度［℃］を表す。
【００３８】
腐食センサ２１は、取付場所の腐食度合いに応じて、本実施形態では、４つのレンジとして電流値を出力する。本実施形態では例えば、腐食センサ２１は、０．０１［ｎＡ］〜３０［ｎＡ］の範囲では、第１レンジとして電流値を出力する。出力する電流値が３０［ｎＡ］を超えると、腐食センサ２１は、第２レンジとして電流値を出力する。但し、一旦、第２レンジとして電流値を出力した後で、出力する電流値が３０［ｎＡ］未満になっても、腐食センサ２１は、そのまま第２レンジとして電流値を出力する。そして、出力する電流値が１［ｎＡ］未満になると、腐食センサ２１は、第１レンジとして電流値を出力する。すなわち、腐食センサ２１は、１［ｎＡ］〜３０［ｎＡ］の範囲では、出力する電流値が上昇しているときは第１レンジとして電流値を出力し、出力する電流値が低下しているときは第２レンジとして電流値を出力する。このように、腐食センサ２１は、出力する電流値のレンジの切り替えの境界において電流値にヒステリシスを持たせている。これによって、レンジの切替え時に出力される電流値が不安定になったり、不連続になって段差が生じたりするのを防止している。
【００３９】
そして、腐食センサ２１は、１［ｎＡ］〜７００［ｎＡ］の範囲では、第２レンジとして電流値を出力する。また、腐食センサ２１は、０．０１［μＡ］〜２０［μＡ］の範囲では、第３レンジとして電流値を出力する。また、腐食センサ２１は、０．１［μＡ］〜１５００［μＡ］の範囲では、第４レンジとして電流値を出力する。腐食センサ２１は、各レンジの重複する電流値の範囲では、上述のようにヒステリシスを持たせている。
【００４０】
このように、本実施形態の腐食センサ２１は、電流値の出力範囲が、最小電流値である０．０１［ｎＡ］から最大電流値である１５００［μＡ］までの範囲になるように、構成されている。本実施形態において、第１レンジは、第１電流レンジの一例であり、第２レンジ〜第４レンジは、第２電流レンジの一例である。
【００４１】
増幅回路１５は、腐食センサ２１から第１レンジとして電流値が出力されると、増幅率Ａｐ１で増幅し、腐食センサ２１から第２レンジとして電流値が出力されると、増幅率Ａｐ２で増幅し、腐食センサ２１から第３レンジとして電流値が出力されると、増幅率Ａｐ３で増幅し、腐食センサ２１から第４レンジとして電流値が出力されると、増幅率Ａｐ４で増幅する。ここで、Ａｐ１＞Ａｐ２＞Ａｐ３＞Ａｐ４である。
【００４２】
図３において、電圧増幅値の基準値Ｖ１は、腐食センサ２１から第１レンジとして電流値が出力され、増幅回路１５により増幅率Ａｐ１で増幅された電圧値の基準値の一例である。電圧増幅値の基準値Ｖ４は、腐食センサ２１から第４レンジとして電流値が出力され、増幅回路１５により増幅率Ａｐ４で増幅された電圧値の基準値の一例である。
【００４３】
図３に示されるように、電圧増幅値の基準値Ｖ４は、温度が変化しても、ほぼ一定の値になっている。これに対して、電圧増幅値の基準値Ｖ１は、温度が温度閾値Ｔｔｈ（本実施形態では、例えばＴｔｈ＝２５℃）未満では、温度Ｔが上昇すると徐々に増大し、温度が温度閾値Ｔｔｈ以上になると、温度Ｔが上昇すると急激に増大する。発明者が調べたところ、腐食センサ２１から第１レンジとして電流値が出力されたときは、電流値が異なっていても、同じ傾向を示すことが分かった。この原因は、第１レンジでは、０．０１〜３０［ｎＡ］と電流値が非常に小さくなっているので、温度による影響を大きく受けるためであると考えられる。
【００４４】
そこで、本実施形態では、腐食センサ２１から第１レンジとして電流値が出力される際の、温度Ｔのときの電圧増幅値の基準値Ｖ１（Ｔ）の補正値Ｃｒ（Ｔ）を表す下記式（１）を予め実験的に求める。
Ｃｒ（Ｔ）＝Ａ×Ｔ５＋Ｂ×Ｔ４＋Ｃ×Ｔ３＋Ｄ×Ｔ２＋Ｅ×Ｔ＋Ｆ    （１）
上記式（１）において、Ａ，Ｂ，Ｃ，Ｄ，Ｅ，Ｆは実験的に求められた定数である。また、温度閾値Ｔｔｈに対応する電圧増幅値の基準値Ｖｔｈが予め実験的に求められる。
【００４５】
補正回路１６は、予め求められた補正値Ｃｒ（Ｔ）と電圧増幅値の基準値Ｖｔｈとを保持する。なお、補正値Ｃｒ（Ｔ）と電圧増幅値の基準値Ｖｔｈとをメモリ１１に保存し、補正回路１６は、補正値Ｃｒ（Ｔ）と電圧増幅値の基準値Ｖｔｈとをメモリ１１から取得してもよい。また、本実施形態では、補正値Ｃｒ（Ｔ）として、上記式（１）に示されるように温度Ｔの５次多項式が採用されているが、これに限られず、他の次数の多項式を採用してもよい。
【００４６】
そして、車両１において、腐食センサ２１による腐食度合いの検出が開始され、腐食センサ２１から第１レンジとして電流値が出力されると、補正回路１６は、温湿度センサ２２から温度Ｔを取得する。補正回路１６は、増幅回路１５で得られる温度Ｔの時の電圧増幅値の基準値Ｖ１から補正値Ｃｒ（Ｔ）を減算して得られた差を、温度閾値Ｔｔｈのときの電圧増幅値の基準値Ｖｔｈからの真の変化幅として求める。言い換えると、補正回路１６は、電圧増幅値の基準値を、
Ｖｔｈ＋｛Ｖ１−Ｃｒ（Ｔ）｝
とする。補正回路１６は、この電圧増幅値の基準値を用いて増幅回路１５から出力される電圧増幅値を補正した電圧補正値を、ＡＤ変換回路１７に出力する。
【００４７】
一方、車両１において、腐食センサ２１による腐食度合いの検出が開始され、腐食センサ２１から第２レンジ又は第３レンジ又は第４レンジとして電流値が出力されたときは、補正回路１６は、増幅回路１５から出力される電圧増幅値をそのままＡＤ変換回路１７に出力する。
【００４８】
検出制御部１２ａは、ＡＤ変換回路１７から出力される電圧補正値又は電圧増幅値を取得する。検出制御部１２ａは、取得した電圧補正値又は電圧増幅値を腐食データとしてメモリ１１に保存する。検出制御部１２ａは、接続ケーブル２４を介して、温湿度センサ２２により検出された温度データ及び湿度データを取得する。検出制御部１２ａは、取得した温度データ及び湿度データをメモリ１１に保存する。
【００４９】
通信制御部１２ｂ（第１通信制御部の一例）は、メモリ１１に保存されている検出データ（本実施形態では腐食データ、温度データ及び湿度データ）をアンテナユニット１３から送信する。通信制御部１２ｂは、メモリ１１に記憶されている子機ＩＤとともに、検出データをアンテナユニット１３から送信する。
【００５０】
アンテナユニット４０（第２アンテナユニットの一例）は、アンテナユニット１３から放射された電波を受信することにより、検出部２０の検出データ（本実施形態では、腐食データ、温度データ及び湿度データ）を受信する。上述のように、アンテナユニット４０は、接続ケーブル４１でデータ収集装置３０に接続されている。
【００５１】
データ収集装置３０は、検出部２０の検出データ（本実施形態では、腐食データ、温度データ及び湿度データ）を収集する。データ収集装置３０は、メモリ３１、ＣＰＵ３２、その他の周辺回路を含む。データ収集装置３０は、例えば、パーソナルコンピュータで構成される。
【００５２】
メモリ３１（記憶部の一例）は、例えば、フラッシュメモリなどの半導体メモリ、ハードディスク、又は他の記憶素子で構成される。メモリ３１は、検出部２０の検出データを保存するメモリ、プログラムを保存するメモリ、データを一時的に保存するメモリ等を含む。なお、メモリ３１は、検出部２０の検出データを保存する領域、プログラムを保存する領域、データを一時的に保存する領域を備えた単一のメモリ素子で構成されていてもよい。
【００５３】
ＣＰＵ３２は、メモリ３１に保存されているプログラムに従って動作することにより、通信制御部３３として機能する。通信制御部（第２通信制御部の一例）３３は、アンテナユニット４０により受信された、検出部２０の検出データ（本実施形態では、腐食データ、温度データ及び湿度データ）をメモリ３１に保存する。本実施形態において、メモリ１１、検出制御部１２ａ、通信制御部１２ｂ、アンテナユニット１３、増幅回路１５、補正回路１６、アンテナユニット４０、通信制御部３３は、記憶制御部の一例を構成する。
【００５４】
以上説明されたように、本実施形態では、補正回路１６は、腐食センサ２１から第１レンジとして電流値が出力されたときは、増幅回路１５で得られる温度Ｔの時の電圧増幅値の基準値Ｖ１から補正値Ｃｒ（Ｔ）を減算して得られた差を、温度閾値Ｔｔｈのときの電圧増幅値の基準値Ｖｔｈからの真の変化幅として求める。そして、補正回路１６は、電圧増幅値の基準値を、Ｖｔｈ＋｛Ｖ１−Ｃｒ（Ｔ）｝とし、この電圧増幅値の基準値を用いて増幅回路１５から出力される電圧増幅値を補正した電圧補正値を、ＡＤ変換回路１７に出力する。したがって、本実施形態によれば、腐食センサ２１から微小な電流値が出力された場合でも、腐食度合いを精度良く表す値をデータ収集装置３０のメモリ３１に保存することができる。
【００５５】
（変形された実施形態）
（１）上記実施形態では、腐食センサ２１は、電流値の出力範囲が、最小電流値である０．０１［ｎＡ］から最大電流値である１５００［μＡ］までの範囲になるように、構成されているが、これに限られない。上記最小電流値及び最大電流値は一例であり、他の電流値でもよい。
【００５６】
（２）上記実施形態では、腐食センサ２１は、取付場所の腐食の度合いに応じて、４つのレンジに分けて電流値を出力しているが、これに限られない。また、上記実施形態において各レンジを規定する下限電流値及び上限電流値も、上記実施形態の電流値は一例であり、上記電流値に限られない。腐食センサは、２つ以上のレンジに分けて電流値を出力するものであればよい。
【００５７】
その場合、使用する腐食センサから最小レンジとして電流値が出力される際の、温度Ｔのときの電圧増幅値を予め実験的に求めてもよい。次に、電圧増幅値が増大を開始する温度閾値を求めてもよい。更に、温度Ｔのときの電圧増幅値と、温度閾値のときの電圧増幅値との電圧差を温度毎に求めてもよい。補正回路１６は、その電圧差を温度毎に予め保持してもよい。この変形された実施形態でも、上記実施形態と同様に、腐食度合いを精度良く表す値をデータ収集装置３０のメモリ３１に保存することができる。
【００５８】
（３）上記実施形態では、検出部２０は、車両１の例えば、エンジンルーム、フロントホイルハウス、リフトゲートの外板、エンジンのアンダカバーの４箇所に取り付けられているが、これに限られない。例えば、検出部２０は、上記４箇所以外の場所に取り付けられてもよい。また、検出部２０は、３箇所以下の場所に取り付けられてもよく、５箇所以上の場所に取り付けられてもよい。無線送信装置１０は、検出部２０の近傍に取り付けられるようにすればよい。
【００５９】
（４）上記実施形態では、検出部２０は、腐食センサ２１と温湿度センサ２２とを含んでいるが、検出部２０は、腐食センサ２１及び温湿度センサ２２に加えて、更に他のセンサを含んでもよい。また、検出部２０は、温湿度センサ２２に代えて、温度のみを検出する温度センサを含んでもよい。
【符号の説明】
【００６０】
１  車両
１０  無線送信装置
１１，３１  メモリ
１２，３２  ＣＰＵ
１２ａ  検出制御部
１２ｂ，３３  通信制御部
１３，４０  アンテナユニット
１５  増幅回路
１６  補正回路
２０  検出部
２１  腐食センサ
２２  温湿度センサ
３０  データ収集装置
【図１】
2018073340.tif 000003
【図２】
2018073340.tif 000004
【図３】
2018073340.tif 000005